(57)【特許請求の範囲】
【請求項１】
真正さがチェックされる被検出物であって、
基材と、
上記基材に設けられかつこの被検出物を使用する本人の人物像がカラー印刷されている顔写真と、
上記顔写真を含む特定位置に設定された走査領域と、
上記走査領域を磁気的に走査した時に得られる検出信号を特定のアルゴリズムによりコード化して登録するデータ記録部と、
を具備し、
上記顔写真は、
磁性金属の粒子からなる磁性素子を互いに色が異なるインク中にランダムに分布させてなる複数種類の色インクを、顔写真各部の色彩に応じて少なくとも一部が互いに重なり合うよう組合わせてカラー印刷されていることを特徴とする真正さがチェックされる被検出物。
【請求項２】
上記基材中に磁性素子が混入され、該磁性素子が、高分子材料中に磁性金属の粒子を混入した繊維状の素子であることを特徴とする請求項１記載の被検出物。
【請求項３】
上記磁性金属がパーマロイ，センダスト，Ｃｏ系アモルファス，ソフトフェライトから選択された磁気的に軟質な高透磁率磁性金属であることを特徴とする請求項１または２記載の被検出物。
【請求項４】
上記顔写真の上に透明な合成樹脂製のオーバーコート層がコーティングされていることを特徴とする請求項１または２記載の被検出物。
【請求項５】
上記オーバーコート層に磁性素子が混入されていることを特徴とする請求項４記載の被検出物。
【請求項６】
上記基材と上記顔写真との間にアンダーコート層が設けられており、このアンダーコート層に磁性素子が混入されていることを特徴とする請求項４または５記載の被検出物。
【請求項７】
前記磁性素子を混入した複数種類の熱転写インクリボンの色インクを顔写真各部の色彩に応じて組合わせかつ上記色インクの少なくとも一部が互いに重なり合うようにして上記顔写真をカラー印刷したことを特徴とする請求項１ないし６のうちいずれかに記載の被検出物。
【発明の詳細な説明】
【０００１】
【発明の属する技術分野】
この発明は、身分証明用ＩＤカードやライセンスカード、クレジットカード、パスポート等のように、偽造を防止する必要がありかつ真正さがチェックされる顔写真を備えた被検出物に関する。
【０００２】
【従来の技術】
従来、ＩＤカード等の顔写真付きカードは、カード上に顔写真を設けるとともに、個人名や個人データを、磁気的あるいは光学的な記録手段あるいはエンボス等の目視可能な記録手段によってカードに登録している。この場合、カードを使用する時に係員にカードを提示し、係員がカード所持者の人相と顔写真に写っている人物像を照合することにより、カードの所持者が顔写真と同一人物であるか否かをチェックしている。
【０００３】
【発明が解決しようとする課題】
しかしながら従来の顔写真付きカードは、真正な人物以外の顔写真を巧妙に貼り変えたり印刷することによってカードの偽造あるいは変造が可能であるため、単に顔写真を目視によってチェックするだけでは不正な使用を防止できないことがあった。
従って本発明の目的は、偽造や変造などによる不正な使用が困難な顔写真付きの被検出物を提供することにある。
【０００４】
【課題を解決するための手段】
前記の目的を果たすために、本発明が提供する被検出物は、請求項１に記載したように、基材と、上記基材に設けられかつこの被検出物を使用する本人の人物像がカラー印刷されている顔写真と、上記顔写真を含む特定位置に設定された走査領域と、上記走査領域を磁気的に走査した時に得られる検出信号を特定のアルゴリズムによりコード化して登録するデータ記録部とを具備し、上記顔写真は、磁性金属の粒子からなる磁性素子を互いに色が異なるインク中にランダムに分布させてなる複数種類の色インクを、顔写真各部の色彩に応じて少なくとも一部が互いに重なり合うよう組合わせてカラー印刷されていることを特徴とする被検出物である。
【０００５】
顔写真の人相や髪形などは各個人に固有のものであるから、個々の顔写真ごとに使用される色インクの組合わせは多様なものになる。このため顔写真に使われる磁性素子の混入状況も顔写真ごとに固有のものになる。このような顔写真を磁気センサで読取ると、磁性素子の混入状況に応じて特徴付けられたアナログ波形の検出信号が得られる。本発明ではこの検出信号を特定のアルゴリズムによりコード化し、必要に応じて暗号化し、データ記録部に登録することで、被検出物の真偽判定に利用する。
【０００６】
上記磁性素子は、粉末，繊維，フレーク状，針状などの形態をとる磁性金属の粒子でもよいし、あるいは高分子材料中に磁性金属粒子を混入した繊維状の素子（この明細書では磁性ポリマー繊維と呼ぶ）であってもよい。磁性金属としては例えばパーマロイ，センダスト，Ｃｏ系アモルファス，ソフトフェライト等の磁気的に軟質な高透磁率の磁性金属が適している。
【０００７】
請求項２に記載したように基材中にも磁性素子が混入されている場合には、基材中の磁性素子と顔写真の磁性素子とを組合わせた磁気特性（磁気模様）となるから、真正な顔写真を剥がして磁性素子入りの色インクによって不正な人物を印刷したとしても、これを磁気的に走査したときに得られる検出信号は変造前の真正なものとは異なる。
【０００８】
さらに本発明の被検出物の好ましい形態として、上記顔写真の上に透明な合成樹脂製のオーバーコート層が被着されている。このオーバーコート層に磁性素子が混入されていてもよい。あるいは上記基材と上記顔写真との間にアンダーコート層を設け、このアンダーコート層に磁性素子を混入してもよい。
【０００９】
上記顔写真をカラー印刷するための色材として機能する色インクの一例は、上記磁性素子を多数混入した熱転写インクリボンが使われ、印刷すべき像の色調等に応じて、例えばマゼンタ，シアン，イエロー，ブラック等の複数種類のインクリボンの色インクを適宜組合わせて、サーマルプリントヘッド（ＴＰＨ）によって基材側に転写する。
【００１０】
本発明では、磁性素子をランダムに含む色インクによって顔写真がカラー印刷されており、色インク中に磁性素子が分散しているとともに、顔写真に写っている人物像の顔立ちや髪形などに応じて色インクの組合わせが微妙に変化する。このため、顔写真の走査領域を磁気的に走査した時に得られる検出信号は、走査領域の微小部分ごとの磁性素子の混入量や磁性素子どうしの重なり具合などに応じて、透磁率等の磁気的性質がきわめて多様に変化するようになる。
【００１１】
このため、顔写真を本人以外の写真に貼り変えたり印刷したとしても、顔写真を走査した時に得られる検出信号がデータ記録部の登録内容と対応しなくなる。また、不正に使用する目的で顔写真の検出信号とデータ記録部の登録内容が対応するようにデータ記録部を書き換えることはきわめて困難である。このため本発明の被検出物は、顔写真に手を加えるなどの偽造，変造を防止でき、真正な顔写真を被検出物の所持者（被検出物を使用する者）と照合することにより、厳重なチェック機能を果たすことができる。
【００１２】
請求項４に記載したように顔写真の上に光学的に透明なオーバーコート層を被着した場合には、オーバ−コート層を無理に剥がしたときに顔写真の人物像が崩れ、磁性素子の混入状態が変化する。このため、一度オーバーコート層が剥がされた顔写真の検出信号はデータ記録部の登録内容と一致しなくなる。このため、偽造はさらに困難となる。
【００１３】
【発明の実施の形態】
図１に示された被検出物１０は、紙あるいは合成樹脂等の非磁性材料を主体とするカード状の基材１１を有している。基材１１に図２に示すような微小な磁性素子１２が混入されている。磁性素子１２の一例は、アクリル樹脂やポリエステル等に代表される高分子材料からなる繊維状の素子本体１３に磁性金属粒子１４を混入したもの（磁性ポリマー繊維）であり、適当な長さに切断されている。磁性素子１２の寸法の一例は、長さ０．５ｍｍ〜１０ｍｍ、外径１０μｍ〜１００μｍである。磁性金属粒子１４が粉体の場合、その粒径は１０μｍ〜１ｎｍ（ナノメートル）の範囲が適している。磁性金属粒子１４は例えばパーマロイ，センダスト (sendust)，Ｃｏ系アモルファス，ソフトフェライトなどの磁気的に軟質な高透磁率の磁性金属からなる。
【００１４】
基材１１に顔写真２０が設けられている。この顔写真２０は、被検出物１０を使用する本人を撮影したものであり、顔写真２０を含む特定位置に走査領域２１が設定されている。顔写真２０は、下記磁性素子２２をランダムに混入した複数種類の色要素の熱転写インクリボンによってカラー印刷されている。
【００１５】
色材としての上記インクリボンはカラー印刷に必要な色要素に分かれており、一例として図３に模式的に示したような色インク２５〜２８、すなわちイエロー（Ｙ），マゼンタ（Ｍ），シアン（Ｃ），ブラック（Ｋ）などの固体インク中に磁性素子２２をランダムに分散させている。これらのインクリボンは、磁性素子２２を混入した上記色インクを、例えばＰＥＴ（ポリエチレンテレフタレート）やポリエステルなどからなる合成樹脂製ベースフィルム上にコーティングしたものである。色材を重ねる順序は図示例に限定されるものではない。また、上記の色材以外に更に別の色材が用いられてもよい。
【００１６】
上記インクリボンに混入される磁性素子２２は、基材１１に混入した磁性素子１２に使われている磁性金属粒子１４と同様の磁性金属からなる粉体であるが、粒子の形態としては繊維状あるいは微小な板状（フレーク状）あるいは針状などであってもよい。
【００１７】
被検出物１０を製造する際に、図示しない印刷装置の発熱ヘッド（サーマルプリントヘッド）を用いて、顔写真２０の色要素に応じた熱転写インクリボンによって顔写真２０がカラー印刷される。すなわち図４に模式的に示すように色インク２５〜２８を組合わせ、顔写真２０の各部の色彩に応じて色インク２５〜２８の少なくとも一部分を重ね合わせるなどして、基材１１に顔写真２０がカラー印刷される。この場合、基材１１は白色系に着色しておくとよい。
【００１８】
このような複数色の熱転写インクリボンによってカラー印刷された顔写真２０は、各色のインク中に含まれた多数の磁性素子２２がランダムに分布し、かつ、磁性素子２２が互いに不規則に重なり合うなどするため、顔写真２２ごとに固有の磁気的性質（例えば透磁率など）を発揮できるようになる。
【００１９】
しかも顔写真２０の人物像２０ａは、写っている人物の顔立ちや髪形などが各人ごとに異なり、走査領域２１の各微小部分において各色のインク２５〜２８の付着パターン（密度や模様など）が個人ごとに全て異なるから、顔写真２０の磁気的性質は更に多様なものとなる。
【００２０】
そしてこの実施形態の場合は基材１１にも磁性素子１２が含まれているから、基材１１中の磁性素子１２と顔写真２０に含まれている磁性素子２２の分布状況に応じて、図３に模式的に示すように磁性体密度の高いところに磁路３０が形成されることにより、各被検出物１０に固有の磁束密度の濃淡（磁気模様）が形成される。
【００２１】
被検出物１０の特定位置にデータ記録部３５が設けられている。データ記録部３５は、例えば磁気ストライプのように、データを磁気的に書込むことができかつ読取ることができる記録媒体が適している。なお、被検出物１０の全面に磁気層が設けられている場合には、磁気層の一部分をデータ記録部３５として利用するようにしてもよい。データ記録部３５の他の例として、バーコードのように光学的に読取ることが可能な記録媒体が使用されてもよい。
【００２２】
上記データ記録部３５には、走査領域２１を下記の処理装置５０によって磁気的に走査した時に得られる出力、すなわち顔写真２０の磁気模様に応じて得られる固有のアナログ波形に対応した情報が、コード化して記録されるようになっている。さらにこの被検出物１０には、被検出物１０の正当な使用者に関する個人情報（氏名とか所属など）や、被検出物１０の発行者に関する情報３６などが、印刷あるいはエンボス加工等によって記録されている。
【００２３】
図５に示す処理装置５０の一例は、ハウジング５５と移送機構５６を備えている。移送機構５６は、ベルトやローラ等を用いた移送用部材５７により、被検出物１０を所定速度で図中の矢印Ｆ方向に移動させるようになっている。被検出物１０の移動経路の途中に磁気センサ６０が設けられている。この磁気センサ６０は、第１のＭＲ素子６１と第２のＭＲ素子６２とを被検出物１０の移動方向に並べるとともに、ＭＲ素子６１，６２の背後にマグネット６３を配置したものであって、上記顔写真２０の走査領域２１の透磁率変化を検出できるようになっている。
【００２４】
これらのＭＲ素子６１，６２は互いに電気的に接続されており、しかも各ＭＲ素子６１，６２に、マグネット６３による同じ強さの磁界が及ぶようになっている。第１のＭＲ素子６１は下記コントローラ８０に接続されている。第２のＭＲ素子６２は直流電源回路６５に接続されている。
【００２５】
ＭＲ素子６１，６２の近傍を顔写真２０の走査領域２１が通る時、顔写真２０の位置が走査方向に変化するのに伴い、出力電圧Ｖout が変化する。すなわち矢印Ｆ方向に走査領域２１が移動し、ＭＲ素子６１，６２の近傍を磁性素子１２，２２が通ることにより、磁性素子１２，２２の分布状態や磁性素子１２，２２の重なり具合などに応じて、各ＭＲ素子６１，６２を通る磁束が経時的に変化するとともに、ＭＲ素子６１，６２の抵抗値Ｒ1 ，Ｒ2 に差が出ることによって、走査領域２１に固有のアナログ波形の出力電圧Ｖout が生じる。
【００２６】
この処理装置５０は、マイクロコンピュータ等を用いたコントローラ８０と、被検出物１０のデータ記録部３５に下記暗号コードを記録するためのコード書込み部８１と、データ記録部３５に記録されたコードを読取るためのコード読取り部８２などを備えている。コード書込み部８１と読取り部８２は、読取り／書込み用の回路８３に接続されている。コントローラ８０は、Ａ／Ｄ変換器９０や比較器９１および暗号コード変換器９２などを含んでいる。コントローラ８０に表示器９５が接続されている。
【００２７】
次に、上記被検出物１０と処理装置５０の作用などについて説明する。
図６は被検出物１０を作成するためのプロセスの一例を示している。基材製造ステップＳ１では、合成樹脂あるいは紙等の非磁性材料によって、カード状の基材１１を製造する。基材１１が紙を主体とする場合には、基材１１の製造工程において、紙パルプ中に磁性素子１２が混入され、紙パルプと磁性素子１２の両者が一体となって抄紙される。
【００２８】
印刷ステップＳ２において、磁性素子２２が混入された複数色の溶融型熱転写インクリボン（固体インク）とサーマルプリントヘッドを用いて、基材１１上に顔写真２０をカラー印刷する。
【００２９】
走査ステップＳ３において、処理装置５０によって顔写真２０の走査領域２１を磁気的に走査する。すなわち被検出物１０を移送機構５６によって図５中の矢印Ｆ方向に移動させ、磁気センサ６０によって走査領域２１の透磁率変化に伴う出力電圧の変化を検出することにより、顔写真２０中の磁性素子２２の混入状況に応じたアナログ波形の検出信号を得る。
【００３０】
上記検出信号は、暗号化ステップＳ４において、出力の大きさに応じてコード変換器９２によって特定のアルゴリズムに基いて暗号化される。こうして得られた暗号コードが、データ書込みステップＳ５において、コード書込み部８１によってデータ記録部３５に例えばディジタル値で記録される。
【００３１】
被検出物１０が使用される際に、被検出物１０が真正であるか否かのチェックが行われる。図７は、被検出物１０の真正さをチェックするための照合プロセスの一例を示している。この例の場合、走査ステップＳ１１において、前記処理装置５０によって前記作成プロセスの場合と同様に被検出物１０の走査領域２１を磁気的に走査し、顔写真２０中の磁性素子２２に応じた出力を得る。そしてこの出力を前記作成プロセスと同様のアルゴリズムに基いて処理することで、顔写真２０に応じた固有の検出信号を得る。
【００３２】
また、コード読取りステップＳ１２において、データ記録部３５に記録されている暗号コードがコード読取り部８２によって読取られる。こうして読取ったコードは、コード再生ステップＳ１３において暗号コード変換器９２によって所定のアルゴリズムに基いて解読されることにより、照合用コードが再生される。
【００３３】
そして判別ステップＳ１４において、上記照合用コードと走査ステップＳ１１で検出された検出信号とが比較器９１によって比較され、両者が対応した時に、この被検出物１０が本物であると判断される。そしてこの被検出物１０を所持している者の人相を顔写真２０に写っている人物像２０ａと照合することにより、顔写真２０が所持者本人であるか否かのチェックを行う。
【００３４】
このような被検出物１０であれば、不正に使用する目的で顔写真２０を本人以外の写真に貼り変えたり本人以外の顔写真を印刷しても、走査領域２１の検出信号とデータ記録部３５の登録内容を互いに一致させることが困難である。ましてや、データ記録部３５に登録されている暗号データと走査領域２１の検出信号が対応するように顔写真２０に手を加えることは著しく困難である。
【００３５】
この被検出物１０のセキュリティ性を高めかつ顔写真２０の表面を保護するために、顔写真２０を含む被検出物１０の表面に光学的に透明な合成樹脂製のオーバーコート層１００が被着されている。このオーバーコート層１００に磁性素子２２が混入されていてもよい。オーバーコート層１００を有する被検出物１０であれば、顔写真２０上のオーバーコート層１００を剥がすと顔写真２０の像が崩れ、顔写真２０中の磁性素子２２の混入状況が変化する。このため、一旦オーバーコート層１００を剥がした顔写真２０は、走査領域２１の検出信号が真正な被検出物１０の検出信号と異なるようになり、データ記録部３５の登録内容と不一致になる。このため偽造はより困難となり、セキュリティ性が更に向上する。
【００３６】
また図８に示すように基材１１と顔写真２０との間にアンダーコート層１０１を設けてもよく、かつ、アンダーコート層１０１に磁性素子２２を混入していてもよい。アンダーコート層１０１は白色系に着色されていてもよい。
【００３７】
なお、前記実施形態では基材１１と顔写真２０の双方に磁性素子１２，２２を混入したが、図９に例示したように基材１１に磁性素子を混入しなくてもよい。また、顔写真２０に混入する磁性素子は、前述の磁性金属粉２２に限ることはなく、例えば前述の磁性素子１２（図２参照）と同様の磁性ポリマー繊維であってもよい。このようなファイバ状の超微細磁性素子１２を色インク２５〜２８中に混在させることにより、磁化容易軸を素子１２のファイバ軸方向にもたせることができ、磁気模様としての感度を高めることが可能である。
【００３８】
【発明の効果】
本発明によれば、磁性金属の粒子からなる磁性素子をランダムに分布させてなる複数種類の色インクを、顔写真各部の色彩に応じて少なくとも一部が互いに重なり合うよう組合わせて基材上に顔写真をカラー印刷するため、顔写真に固有の像の輪郭や色分布に応じて磁性素子がきわめて多様に分布するようになり、この像の走査領域を磁気的に走査した時に、像に応じた固有の検出信号を得ることができる。
【００３９】
そしてこの検出信号をデータ記録部に登録されている内容と照合するため、顔写真を別の人物のものに変えるなどの不正な行為が行われても、走査領域とデータ記録部の内容が対応しなくなることによって、顔写真が偽物であることを見破ることができる。このため真正な顔写真のみを被検出物の使用者と照合することができる。
【００４０】
また、上記顔写真と基材の双方に磁性素子を混入した場合には、基材中の磁性素子と顔写真中の磁性素子との組合わせによる磁気模様が得られる。このため、真正な顔写真を剥がしたのち磁性素子入りの色インクによって別の人物像を印刷したり、複数の被検出物どうしで写真を入れ替えるなどの変造が行われた場合には、変造後の顔写真の磁性素子と基材中の磁性素子との組合わせが変造前のものとは異なる。このため変造後の被検出物の検出信号は変造前の真正な被検出物の検出信号とは異なるものとなり、変造による不正使用はさらに困難となる。
【図面の簡単な説明】
【図１】  本発明の一実施形態を示す被検出物の斜視図。
【図２】  図１に示された被検出物に使われる磁性素子の拡大図。
【図３】  基材と顔写真の一部を模式的に示す断面図。
【図４】  複数の色インクが重なり合った状態を模式的に示す断面図。
【図５】  被検出物を処理する装置を一部断面で示す側面図。
【図６】  被検出物を作成するプロセスを示すフローチャート。
【図７】  被検出物の照合を行うプロセスを示すフローチャート。
【図８】  アンダーコート層を有する被検出物を模式的に示す断面図。
【図９】  基材と色インクの変形例を示す被検出物の一部の断面図。
【符号の説明】
１０…被検出物
１１…基材
１２…磁性素子
２０…顔写真
２１…走査領域
２２…磁性素子
２５〜２８…色インク
３５…データ記録部
５０…処理装置
１００…オーバーコート層
１０１…アンダーコート層
【図１】
0003857755.tif 000002
【図２】
0003857755.tif 000003
【図３】
0003857755.tif 000004
【図４】
0003857755.tif 000005
【図５】
0003857755.tif 000006
【図６】
0003857755.tif 000007
【図７】
0003857755.tif 000008
【図８】
0003857755.tif 000009
【図９】
0003857755.tif 000010